(57)【要約】【課題】衣服の着脱時において、化粧料を施した顔面と前記衣服の接触を防ぐと共に、携行するのに適した構造を有するフェイスカバーの提供。【解決手段】人の顔面を覆うフェイスカバーであって、  不織布からなる矩形平面シートをその一辺が延びる方向に関してほぼ一定の幅で山折りと谷折りとを交互に繰り返し、折り重ねてなる帯状積層体を、その長手方向に関して波形に形成され且つその各波形部が互いに近接するように折り畳まれてなる折り畳み縮小体を備え、該折り畳み縮小体は、長手方向の両端部が接着一体化されると共に、前記帯状積層体の両外側の側面のうち所要の部位にゴム糸を長手方向に延びて取り付けてなり、前記折り畳み縮小体を展開すると、顎から額にわたって人の顔面を覆い得、かつ、前記ゴム糸の収縮により人の頭部に装着され得るものとなるフェイスカバー。【選択図】なし【特許請求の範囲】
【請求項１】
人の顔面を覆うフェイスカバーであって、
不織布からなる矩形平面シートをその一辺が延びる方向に関してほぼ一定の幅で山折りと谷折りとを交互に繰り返し、折り重ねてなる帯状積層体を、その長手方向に関して波形に形成され且つその各波形部が互いに近接するように折り畳まれてなる折り畳み縮小体を備え、該折り畳み縮小体は、長手方向の両端部が接着一体化されると共に、前記帯状積層体の両外側の側面のうち所要の部位にゴム糸を長手方向に延びて取り付けてなり、前記折り畳み縮小体を展開すると、顎から額にわたって人の顔面を覆い得、かつ、前記ゴム糸の収縮により人の頭部に装着され得るものとなるフェイスカバー。
【請求項２】
前記ゴム糸は、展開されたフェイスカバーを前記両端部が遠ざかる方向に引張り、次いでその引張り力を緩めると、前記折り畳み縮小体の形態に復原することができる程の弾性を有するものである、請求項１記載のフェイスカバー。
【発明の詳細な説明】
【技術分野】
【０００１】
本発明は、衣服の着脱時において顔面に装着されるフェイスカバーに関する。詳細には、衣服の着脱時において、化粧を施した顔面と該衣服とが接触することを防ぐために顔面に装着されるフェイスカバーに関する。
【背景技術】
【０００２】
女性は普通、外出する前に顔面に化粧を施し、その後部屋着から外出着に着替えてから外に出かける。この場合、部屋着を脱ぐ時や外出着を着る時において顔面がこれらの衣服に接触すると、顔面の化粧料が衣服に付着して該衣服を汚してしまい、同時に、顔面の化粧が乱れてしまう場合がある。また、職場において、通勤用の衣服から制服に着替えるとき、又はその逆に制服から通勤用衣服に着替えるとき、或いはデパートの衣服売場の試着ルームにおいて商品の衣服を試着する場合においても、化粧された顔面と衣服との接触により衣服が汚れ、化粧が乱れるという不具合を生じる。これらの不具合は、特に時間が無く、慌しく着替えなければならない場合であると、衣服と顔面との接触を避けようと心配りする余裕もないために、さらに発生しやすくなる。そこで、着替えの際に、化粧を施した顔面と、着脱される衣服との接触を防ぐ何らかの手段が必要とされる。従来この問題を解決する方法としては以下に挙げるものが提案されている。
たとえば、特許文献１は、一枚の薄い不織布を略長方形状に形成し、該不織布の上方部を後方へ折返して前面部生地の背面に重ねて背面部生地とし、且つ、該背面部生地の左右両端部を前記前面部生地との当接部位にて接着して顔面被蔽具を構成し、且つ、前記背面部生地の下端部は該顔面被蔽具の全高の略２分の１程度の位置に形成されて該背面部生地の該下端部位を頭部挿入口に形成すると共に、前記前面部生地の左右両側縁部近傍であって、且つ、該背面部生地の前記下端部位の近傍から下端部に及んで切線を形成し、該前面部生地にて顔面を被うようにして前記頭部挿入口から頭部を挿入して該顔面被蔽具を頭部に冠装したとき、該切線によって形成される双方の紐状片を首部前面にて結縛できるように構成された顔面被蔽具を提案している。
特許文献２は、特許文献１に記載の顔面被蔽具と同様の頭部挿入口を形成すると共に、前面部生地裏面の下端部両側縁部及び頭部挿入口近傍の背面部生地の両側縁部に上下対峙して接合片を付設し、該前面部生地にて顔面を被うようにして前記頭部挿入口から頭部を挿入して該顔面被蔽具を頭部に冠装したとき、該前面部生地の下方部を上方へ折返し乍ら前記上下に対峙する接合片を夫々接合して、該顔面被蔽具を頭部に定着できるように構成された顔面被蔽具を提案している。
特許文献３は、一枚の薄い不織布を略長方形状に形成し、該不織布の略中央部両縁部に伸縮性ゴムを付設して顔面被蔽具を構成し、該顔面被蔽具の長手方向中央部を頭部頂部近傍に載置して、該顔面被蔽具の前記中央部から片方を顔面方向へ垂設して顔面部被蔽部とし、他方を後頭部方向へ垂設して後頭部被蔽部とし、該顔面被蔽具を頭部に冠装したとき、前記左右の伸縮性ゴムを耳に係止して該顔面被蔽具を頭部に定着せしめるように構成されたことを特徴とする衣服着脱時における顔面被蔽具を提案している。
【０００３】
【特許文献１】特開２０００−１２５９３４号公報明細書
【特許文献２】特開２０００−２０１７３２号公報明細書
【特許文献３】特開２０００−２０１７３３号公報明細書
【発明の開示】
【発明が解決しようとする課題】
【０００４】
ところで、衣服の着脱において、化粧料の衣服への付着を防ぐための顔面カバー具は一般に、衣服の着脱中に衣服と接触しても、頭部から外れたり、或いは、ずれて顔面が剥き
出しとなってしまうことなく、安定して顔面に装着される構成のものである必要がある。さらに、時間に追われ、早急に衣服を着脱する必要がある場合に備えて、頭部への装着及び取り外しはより簡単に為される構成のものが望ましい。また、職場など自宅以外での衣服の着脱において用いる場合に備えて、常時携行できる構成であることが望まれる。すなわち、ハンドバッグや小物入れに収納したときに嵩張らず、かつ、装着される形態に容易に展開され得る構成のものであることが望ましい。
これに対して、特許文献１に記載された顔面被蔽具は、顔面を被蔽せしめるために、紐状片を首の前方に引き寄せた上で、例えば蝶結びなどで結縛される必要がある。特許文献２に記載された顔面被蔽具にあっては、顔面を被蔽せしめるために、前面部生地の下方部の延設部位を上方へ折り返した上、該延設部位に付設されている接合片を、これと対峙する上方の接合片に接合するという一連の動作を為す必要がある。つまり、特許文献１及び特許文献２が提案する技術は、被蔽具の装着に手間がかかる構成であり、それゆえ急いで着替えなければならない場合においては面倒である。また、特許文献３に記載された顔面被蔽具においては、顔面被蔽具を頭部に安定して冠装する手段が、中央部両端部に付設された伸縮性ゴムを単に耳に係止することである。そのため、衣服の着脱において顔面被蔽具が頭部から外れ易い他、それは人の頭部より下方へ垂れ下がる構成のものであるため、脱衣時に捲れ上がり、顔面が剥き出しとなってしまう可能性があり、結果として被蔽具としての役割を果せなくなるおそれがある。さらに、これら従来の顔面被蔽具は、携行することを前提に考え出されたものではないので、コンパクトに（小型に）縮小することが難しく、ハンドバッグや小物入れの中にうまく収納できないことが予想される。
【課題を解決するための手段】
【０００５】
これらの事情に鑑み、本発明者は鋭意検討を重ねた結果、頭部への装着が簡単に為され、かつ、装着後においてずれるおそれも低く顔面をしっかりと覆うことができ、さらにその上に、容易に小型化でき、携行に適するという、上記課題を同時に解決し得るフェイスカバーを開発するに至り、本発明を完成させた。すなわち本発明は、
人の顔面を覆うフェイスカバーであって、
不織布からなる矩形平面シートをその一辺が延びる方向に関してほぼ一定の幅で山折りと谷折りとを交互に繰り返し、折り重ねてなる帯状積層体を、その長手方向に関して波形に形成され且つその各波形部が互いに近接するように折り畳まれてなる折り畳み縮小体を備え、該折り畳み縮小体は、長手方向の両端部が接着一体化されると共に、前記帯状積層体の両外側の側面のうち所要の部位にゴム糸を長手方向に延びて取り付けてなり、前記折り畳み縮小体を展開すると、顎から額にわたって人の顔面を覆い得、かつ、前記ゴム糸の収縮により人の頭部に装着され得るものとなるフェイスカバーに係る。
また本発明の好ましい態様は、ゴム糸は、展開されたフェイスカバーを前記両端部が遠ざかる方向に引張り、次いでその引張り力を緩めると、折り畳み縮小体の形態に復原することができる程の弾性を有するものである前述のフェイスカバーに関する。
【発明の効果】
【０００６】
本発明のフェイスカバーは、展開されたとき、顎から額にわたって人の顔面を覆うものとなり得る。したがって、衣服の着脱時において、顔面と衣服の直接の接触が避けられ、よって、顔面に施された化粧料が衣服に付着したり、同時にそのために顔面の化粧が崩れてしまうことを効果的に防ぐことが出来る。
とりわけ、本発明のフェイスカバーは、その折り畳み縮小体が、長手方向の両端部が接着一体化されると共に、前記帯状積層体の両外側の側面のうち所要の部位にゴム糸を長手方向に延びて取り付けてなる構成である。そのため、展開したとき、ゴム糸の収縮により頭部にしっかりと装着され得るものとなり、もって、衣服の着脱時において、フェイスカバーが顔面からずれたり、或いは外れてしまうというおそれが低いという効果が生じる。
さらに、本発明のフェイスカバーは折り畳み縮小体より構成され、全体として小型であるため、コンパクトにまとめられており、ハンドバッグや小物入れの中の狭い隙間のよう
な所に、或いは外出着のポケットの中にもたやすく収納され得るため、常時携行するのに適している。しかも、本発明のフェイスカバーは、帯状積層体の両外側の側面をそれぞれ掴み、広げるようにして展開するだけの簡単な動作で容易に装着の形態となり得るので、装着の手順が非常に簡単である。
また、本発明のフェイスカバーは不織布から構成されるものであるため、通気性に優れ、装着したときに息苦しさを感じるおそれもなく、かつ、透かして外の様子を見ることもできるという利点をも有する。
さらに、本発明の好ましい態様のフェイスカバーにあっては、折り畳み縮小体の両側面に取付けられたゴム糸が、上述の弾性を有するものに設計されているので、展開されたフェイスカバーを前記両端部が遠ざかる方向に引張り、次いでその引張り力を緩めると、前記折り畳み縮小体の形態に復原することができ、使用後に元の折り畳まれた小型構造へと容易に戻すことが出来る。
【発明を実施するための最良の形態】
【０００７】
本発明のフェイスカバーを、その一態様を示す図面を挙げて説明する。
図１に示すように、本発明のフェイスカバー１は、全体として帯状のものが波形状に繰り返し折り畳まれた構造を有するものであり、以下記載するように作られる。不織布からなる矩形の平面シート２を、図２に示すように、その一辺が延びる方向に関してほぼ一定の幅Ｌで山折り３と谷折り４とを交互に繰り返し、折り重ねられることにより、まず図３に示される帯状積層体５が形成される。使用される平面シート２は、１枚或いはあらかじめ複数枚重ね合されていても構わない。平面シート２はまた、これにより構成されるフェイスカバー１が頭部に装着されたとき、顔面をゆったりと覆う、つまり、顔面との間隙に相当の空間が形成される程度の大きさに設定されることが好ましい。つまり、顔面との間に相当の大きさの空間が形成されないと、フェイスカバーとの接触により顔面の化粧料が剥げ落ち易くなる。また、平面シート２の山折り３と谷折り４の繰り返し数は、その幅の長短にもよるが、おおむね５ないし１５が適当であり、８ないし１２がより適当である。繰り返し数が５より少ないと、フェイスカバー１はコンパクトに折り畳まれず、１５より多いとかえって嵩張ってしまう。そして、かかる帯状積層体５が、その長手方向に関して凹凸を繰り返した波形６に形成され、且つその各波形部が互いに近接するように、つまり、短いピッチで折り畳まれることによって図１に示される折り畳み縮小体７が形成される。かかる波形部の繰り返し数は通常、およそ１０ないしおよそ５０が適当であり、およそ２０ないしおよそ４０が好ましい。かかる繰り返し数が１０より小さいとフェイスカバーがコンパクトに折り畳まれず、５０を超えると展開しづらくなる。さらに、該折り畳み縮小体７は、長手方向の両端部８，８が接着一体化されると共に、前記帯状積層体５の両外側の側面９のうち所要の部位にゴム糸１０を長手方向に延びて取り付けてなる構成となっている。かかる構成により、折り畳み縮小体７を展開したとき、フェイスカバー１は顎から額にわたって人の顔面を覆い、そしてゴム糸１０の収縮によってしっかりと装着され得るものとなる。折り畳み縮小体７の長手方向の両端部８は、例えば接着剤を用いて、又は熱溶着により接着される他、接着以外の手法、例えば糸による縫合などで一体化されていてももちろん構わない。さらにゴム糸１０は、連続していても、或いは、１箇所で或いは複数箇所で中断されていてもよいが、顔面にしっかりと装着され、かつ、顔面を強く締め付け過ぎない構成であることが望まれる。よって、この観点において、ゴム糸１０は複数本用いられてももちろんよい。
本発明のフェイスカバー１は以上説明したように構成されるものであり、図４及び図５に示すように、両外側の側面９，９をそれぞれ掴んで延ばし広げることにより容易に展開され得る。そして、図６に示すように、展開されたフェイスカバー１を顔面に被せ、ゴム糸１０が取付けられた側面９，９を顎下から左右それぞれの耳、そしてこめかみを経て頭頂にわたってあてがうだけの簡単な動作で、顔面への本発明のフェイスカバー１の装着は完了する。そればかりでなく、本発明のフェイスカバー１は、使用後に、図５に示す展開された構造から、図１に示す折り畳み縮小体７の形態へと復原することが可能である。す
なわち、頭部から外したフェイスカバー１の両端部８，８をそれぞれ手で掴み、それら両端部８，８が遠ざかる方向に引張ってゴム糸１０を伸張させる。このとき、見た目には波形６が消失し、フェイスカバー１は帯状積層体５の形態に戻る。そして、続いてその引張り力を緩めると、ゴム糸１０が収縮し、波形６に従い折り畳まれて、容易に折り畳み縮小体７の形態に戻る。したがって、使用されるゴム糸１０の弾性は、元の折り畳み縮小体７よりもさらに小さく縮まり丸まってしまう程に強過ぎてはならず、勿論、展開されたフェイスカバーから元の折り畳み縮小体７にまで復原されない程に弱いものであってもならない。
【実施例】
【０００８】
本発明を実施例を挙げてさらに具体的に説明する。以下の実施例はいかなる場合も本発明を限定するものと解釈してはならない。
【０００９】
（実施例）
本実施例では、図１に示すフェイスカバー１を使用した。
ポリプロピレンからなる不織布のほぼ正方形の平面シートを用意し、かかる平面シートから、図１に示す、折り畳まれた構造の本発明のフェイスカバー１を製造した。フェイスカバー１の寸法は以下のとおりである。
長手方向の長さ：およそ２３ｃｍ
折り幅Ｌ：およそ２．５ｃｍ
山折り谷折りの繰り返し数：８
波形の繰り返し数：２８
折り畳まれたフェイスカバー１の両外側のそれぞれの側面９を、図４に示すように指で掴み、長手方向に対して垂直方向に向って延ばし広げ、図５に示すように展開した。そして、図６に示すように、該展開されたフェイスカバー１を顔面（すでに、化粧料（ファンデーション、口紅、アイシャドウ及びマスカラ）にて化粧済み）に被せ、ゴム糸１０が取り付けられた両側面９，９を、顔面の顎下から頭頂にかけてあてがって、フェイスカバー１を装着した。このとき、額の上から顎にわたって顔面が覆われ、かつ、顔面とフェイスカバー１との間には大きな間隙が形成された。次に、フェイスカバー１を装着したまま、白色のハイネックのセーターを着用し、続いて脱衣した。
その結果、ハイネックのセーターを着脱したにもかかわらず、フェイスカバー１の頭部への装着は殆どずれることなく維持されており、ずれて顔面が剥き出しになることもなかった。念の為、着脱したセーターを観察したところ、化粧料の付着は確認されなかった。また、顔面への装着が非常に容易で、かつ、しっかりと装着された上に、例えばゴムの締め付けが強過ぎるなどの不快感は殆ど感じられなかった。
次に、フェイスカバー１を頭部から取り外して、図１に示す構造に折り畳んだ。そして、かかる折り畳まれたフェイスカバー１を、ハンドバッグ或いは通勤用バッグに収納したところ、狭い空間にも無理なく収めることができた。
【図面の簡単な説明】
【００１０】
【図１】本発明のフェイスカバーの一態様を示した斜視図である。
【図２】山折り及び谷折りされた平面シートを示す斜視図である。
【図３】帯状積層体を示す斜視図である。
【図４】展開途中の本発明のフェイスカバーを示す斜視図である。
【図５】完全に展開された本発明のフェイスカバーの斜視図である。
【図６】本発明のフェイスカバーの装着図である。
【符号の説明】
【００１１】
１  フェイスカバー    ２  平面シート    ３  山折り    ４  谷折り    ５  帯状積層体    ６  波形部    ７  折り畳み縮小体    ８  両端部    ９  側面    １０  ゴム糸
【図１】
2006087789.tif 000002
【図２】
2006087789.tif 000003
【図３】
2006087789.tif 000004
【図４】
2006087789.tif 000005
【図５】
2006087789.tif 000006
【図６】
2006087789.tif 000007